(57)【特許請求の範囲】
【請求項１】
被記録媒体が案内される搬送路に設けられており、被記録媒体を上記搬送路に沿った搬送向きに搬送する第１搬送ローラと、
上記第１搬送ローラと対向して設けられており、上記第１搬送ローラとの間に被記録媒体を挟持して上記搬送路に沿って搬送し、上記第１搬送ローラとの間に挟持される被記録媒体の厚みに応じて上記第１搬送ローラに対して接離する第１方向に移動する従動ローラと、
上記従動ローラを上記第１搬送ローラに対して付勢する第１付勢部材と、
上記第１搬送ローラよりも上記搬送向きの下流側且つ上記搬送路の下側に設けられており、上記搬送路を搬送される被記録媒体を支持する第１支持部材と、
上記第１支持部材と対向して上記搬送路の上側に設けられており、ノズルからインク滴を吐出することによって上記第１支持部材に支持された被記録媒体に画像を記録する記録部と、
上記従動ローラの上記第１方向の移動に連動して、上記第１支持部材を移動させる連動部と、
上記第１支持部材よりも上記搬送向きの下流側且つ上記搬送路の下側に設けられており、被記録媒体を上記搬送向きに搬送する第２搬送ローラと、を備え、
上記連動部は、
上記従動ローラを回転可能に支持し且つ上記従動ローラと一体に移動する第２支持部材と、
上記第１支持部材に形成されており、上記第２支持部材に当接する当接部と、
上記第２支持部材に形成されており、上記当接部に当接される被当接部と、
上記第１支持部材を上記第２支持部材に対して付勢する第２付勢部材と、を備え、
上記第１支持部材は、上記第２搬送ローラの軸を中心として回動されるものであって、上記当接部が上記被当接部に押されることによって、上記第２付勢部材の付勢力に抗って回動するものであるインクジェット記録装置。
【請求項２】
上記当接部は、上記第１支持部材の回動先端部に形成されており、
上記第２付勢部材は、上記搬送向きと直交する第２方向における上記第１支持部材の中央部を上記第２支持部材に対して付勢する請求項１に記載のインクジェット記録装置。
【請求項３】
上記ノズルよりも上記搬送向きの上流側且つ上記第１支持部材と対向する位置に設けられており、上記第１支持部材に支持された被記録媒体の画像記録面に当接して当該被記録媒体を上記第１支持部材へ向けて押さえる押さえ部が上記搬送向きと直交する第２方向に複数が離間されて形成されている押さえ部材を更に備え、
上記第１支持部材の上面には、上記第２方向における上記押さえ部と対向されない位置に、上記押さえ部の下端よりも上側まで突出した凸部が形成される請求項１または２に記載のインクジェット記録装置。
【請求項４】
上記凸部は、上記押さえ部に対向する位置よりも上記搬送向きの下流側まで延びている請求項３に記載のインクジェット記録装置。
【請求項５】
上記第２支持部材は、
被記録媒体が上記第１支持部材と上記押さえ部材との間に挟持された場合、上記第１付勢部材の付勢力により上記第１方向における位置が維持され、
上記第１支持部材は、
被記録媒体が上記第１支持部材と上記押さえ部材との間に挟持されることによって、上記第２付勢部材の付勢力に抗って、上記当接部が上記被当接部に対して離間する方向に移動する請求項３または４に記載のインクジェット記録装置。
【請求項６】
上記当接部及び上記被当接部は、上記搬送向きと直交する第２方向に複数が離間されて設けられており、
上記第２付勢部材は、上記第２方向において、上記当接部及び上記被当接部と対向する位置に複数設けられている請求項１から５のいずれかに記載のインクジェット記録装置。
【請求項７】
上記当接部、上記被当接部、及び上記第２付勢部材は、上記第２方向において、上記第１支持部材の中央部から対称に複数が離間されて設けられている請求項６に記載のインクジェット記録装置。
【請求項８】
上記第１搬送ローラは、上記搬送路の上側に設けられており、
上記従動ローラは、上記搬送路の下側に設けられている請求項１から７のいずれかに記載のインクジェット記録装置。
【発明の詳細な説明】
【技術分野】
【０００１】
本発明は、被記録媒体に画像を記録するインクジェット記録装置に関する。
【背景技術】
【０００２】
従来より、搬送路を搬送される被記録媒体に対してインクジェット記録方式で画像を記録する記録部を備えたインクジェット記録装置が知られている。このようなインクジェット記録装置に搬送される被記録媒体は、薄い記録用紙の他、光沢紙やハガキといった厚みのあるものがある。
【０００３】
また、このようなインクジェット記録装置では、被記録媒体に画像を記録する際、被記録媒体はプラテンに支持される。このとき、プラテンに支持された被記録媒体と記録部との間隔は、高精度で調整されることが要求される。しかしながら、上記間隔は、被記録媒体の厚みによって変化してしまう。その結果、被記録媒体に記録される画像の画質が悪化してしまうおそれがある。
【０００４】
このような問題を解決するために、特許文献１には、プラテンを２つの所定のポジションに移動させる機構を有した記録装置が開示されている。これにより、記録用紙などの薄い被記録媒体とハガキなどの厚い被記録媒体とでプラテンのポジションを変えることができる。その結果、上記間隔を調整することができる。
【先行技術文献】
【特許文献】
【０００５】
【特許文献１】特開２００６−３１５２７２号公報
【発明の概要】
【発明が解決しようとする課題】
【０００６】
しかしながら、インクジェット記録装置には、多種の厚みの被記録媒体が搬送される。更に、同種の被記録媒体であっても、各被記録媒体によって厚みにばらつきが生じることもある。つまり、搬送される被記録媒体の厚みは、不特定多数である。すると、特許文献１の記録装置において、搬送される被記録媒体の厚みの全てを網羅するように、プラテンのポジションを設定することは事実上不可能である。
【０００７】
本発明は、上記問題に鑑みてなされたものであり、その目的は、被記録媒体の厚みに依存せずに、被記録媒体と記録部との間隔を一定にすることができるインクジェット記録装置を提供することにある。
【課題を解決するための手段】
【０００８】
(1)  本発明のインクジェット記録装置は、被記録媒体が案内される搬送路に設けられており、被記録媒体を上記搬送路に沿った搬送向きに搬送する第１搬送ローラと、上記第１搬送ローラと対向して設けられており、上記第１搬送ローラとの間に被記録媒体を挟持して上記搬送路に沿って搬送し、上記第１搬送ローラとの間に挟持される被記録媒体の厚みに応じて上記第１搬送ローラに対して接離する第１方向に移動する従動ローラと、上記従動ローラを上記第１搬送ローラに対して付勢する第１付勢部材と、上記第１搬送ローラよりも上記搬送向きの下流側且つ上記搬送路の下側に設けられており、上記搬送路を搬送される被記録媒体を支持する第１支持部材と、上記第１支持部材と対向して上記搬送路の上側に設けられており、ノズルからインク滴を吐出することによって上記第１支持部材に支持された被記録媒体に画像を記録する記録部と、上記従動ローラの上記第１方向の移動に連動して、上記第１支持部材を移動させる連動部と、を備える。
【０００９】
本構成によれば、従動ローラは、第１搬送ローラとの間に被記録媒体を挟持することによって、被記録媒体の厚み分だけ第１方向に移動する。従動ローラが第１方向に移動すると、被記録媒体を支持する第１支持部材は、連動部によって、被記録媒体の厚み分だけ移動される。つまり、第１支持部材の第１方向の移動距離は、被記録媒体の厚みと同一となる。
【００１０】
(2)  上記連動部は、上記従動ローラを回転可能に支持し且つ上記従動ローラと一体に移動する第２支持部材と、上記第１支持部材に形成されており、上記第２支持部材に当接する当接部と、上記第２支持部材に形成されており、上記当接部に当接される被当接部と、上記第１支持部材を上記第２支持部材に対して付勢する第２付勢部材と、を備える。上記第１支持部材は、上記当接部が上記被当接部に押されることによって、上記第２付勢部材の付勢力に抗って移動する。
【００１１】
本構成によれば、簡易な構成で（１）を実現することができる。
【００１２】
(3)  本発明のインクジェット記録装置は、上記ノズルよりも上記搬送向きの上流側且つ上記第１支持部材と対向する位置に設けられており、上記第１支持部材に支持された被記録媒体の画像記録面に当接して当該被記録媒体を上記第１支持部材へ向けて押さえる押さえ部が上記搬送向きと直交する第２方向に複数が離間されて形成されている押さえ部材を更に備える。上記第１支持部材の上面には、上記第２方向における上記押さえ部と対向されない位置に、上記押さえ部の下端よりも上側まで突出した凸部が形成される。
【００１３】
第１支持部材に支持された被記録媒体は、押さえ部材に押さえられて第１支持部材との間に挟持されることによって、第２方向に波打ちした状態となる。これにより、剛性が低い被記録媒体の搬送向きにおける剛性を高めることができ、記録後の搬送においても被記録媒体の変形や詰まりを抑制することができる。
【００１４】
(4)  上記凸部は、上記押さえ部に対向する位置よりも上記搬送向きの下流側まで延びている。
【００１５】
本構成によれば、凸部は、搬送向きに沿って長い。よって、凸部は、被記録媒体を広範囲に亘って支持することができる。その結果、被記録媒体の搬送精度を高くすることができる。
【００１６】
(5)  上記移動部は、上記従動ローラを回転可能に支持し且つ上記従動ローラと一体に移動する第２支持部材と、上記第１支持部材に形成されており、上記第２支持部材に当接する当接部と、上記第２支持部材に形成されており、上記当接部に当接される被当接部と、上記第１支持部材を上記第２支持部材に対して付勢する第２付勢部材と、を備える。上記第２支持部材は、被記録媒体が上記第１支持部材と上記押さえ部材との間に挟持された場合、上記第１付勢部材の付勢力により上記第１方向における位置が維持される。上記第１支持部材は、被記録媒体が上記第１支持部材と上記押さえ部材との間に挟持されることによって、上記第２付勢部材の付勢力に抗って、上記当接部が上記被当接部に対して離間する方向に移動する。
【００１７】
本構成によれば、剛性が高くて押さえ部材による変形を吸収できないような被記録媒体が第１支持部材と押さえ部材との間に挟持された場合、第１支持部材は、（１）の場合よりも多くの距離を移動する。これにより、第１支持部材に支持される被記録媒体の高さの基準を、押さえ部材に押さえられた位置の高さとすることができる。また、本構成によれば、従動ローラが下側に配置され第１搬送ローラが上側に配置されている場合に、被記録媒体が第１支持部材と押さえ部材との間に挟持されたとき、第１支持部材に形成された当接部は、被記録媒体に押されることによって第２支持部材に形成された被当接部から離間する。つまり、このとき、第１支持部材は、第２支持部材（従動ローラ）とは別個に移動可能である。換言すると、第１支持部材の移動距離が長くなった場合であっても、従動ローラは必要以上に移動しない。以上より、本構成によれば、従動ローラと第１搬送ローラとが必要以上に離間することを防止することができる。
【００１８】
(6)  本発明のインクジェット記録装置は、上記第１支持部材よりも上記搬送向きの下流側且つ上記搬送路の下側に設けられており、被記録媒体を上記搬送向きに搬送する第２搬送ローラを更に備える。上記第１支持部材は、上記第２搬送ローラの軸を中心として回動される。上記当接部は、上記第１支持部材の回動先端部に形成されている。上記第２付勢部材は、上記搬送向きと直交する第２方向における上記第１支持部材の中央部を上記第２支持部材に対して付勢する。
【００１９】
本構成によれば、第１支持部材の回動先端部は、第２付勢部材の付勢力によって、第２支持部材に押しつけられる。また、第２支持部材に支持されている従動ローラは、第１付勢部材の付勢力によって、第１搬送ローラに押しつけられる。つまり、第１支持部材の回動先端部は、第１搬送ローラに押しつけられた状態となる。
【００２０】
以上より、第１支持部材の回動先端部を、第２方向において、当該装置に固定された第１搬送ローラに沿わせることができる。ここで、第２付勢部材は、第２方向における第１支持部材の中央部を第２支持部材に対して付勢する。そのため、第１支持部材の回動先端部を第１搬送ローラに沿わせることは容易である。
【００２１】
第１支持部材の回動先端部が当該装置に固定された第１搬送ローラに沿った状態となることによって、第１支持部材に支持された被記録媒体と記録部との間隔を固定させることができる。すると、被記録媒体に画像記録する際に、第１支持部材の反りに基づいてノズルを制御することによって、被記録媒体に記録される画像の品質の悪化を低減することができる。
【００２２】
(7)  上記当接部及び上記被当接部は、上記搬送向きと直交する第２方向に複数が離間されて設けられている。上記第２付勢部材は、上記第２方向において、上記当接部及び上記被当接部と対向する位置に複数設けられている。
【００２３】
本構成のように、設けられている第２付勢部材の数が多い程、第１支持部材を、より正確に第１搬送ローラに沿わせることができる。
【００２４】
(8)  上記当接部、上記被当接部、及び上記第２付勢部材は、上記第２方向において、上記第１支持部材の中央部から対称に複数が離間されて設けられていてもよい。
【００２５】
(9)  上記第１搬送ローラは、上記搬送路の上側に設けられている。上記従動ローラは、上記搬送路の下側に設けられている。
【００２６】
本構成によれば、従動ローラは、第１搬送ローラと従動ローラとの間に挟持される被記録媒体の厚みに応じた距離だけ下側に移動する。また、第１支持部材も従動ローラとの第１方向（上下方向）の距離を保ちつつ下側に移動する。これにより、被記録媒体が従動ローラによる支持位置から第１支持部材による支持位置へ突入する際の突入角度が小さくなることを、抑制できる。その結果、突入角度が小さくなることによって、被記録媒体が第１支持部材に引っ掛かって搬送路内で詰まる可能性を低くすることができる。
【００２７】
(10)  本発明のインクジェット記録装置は、被記録媒体が案内される搬送路に設けられており、被記録媒体を上記搬送路に沿った搬送向きに搬送する第１搬送ローラと、上記第１搬送ローラと対向して設けられており、上記第１搬送ローラとの間に被記録媒体を挟持して上記搬送路に沿って搬送し、上記第１搬送ローラとの間に挟持される被記録媒体の厚みに応じて上記第１搬送ローラに対して接離する第１方向に移動する従動ローラと、上記従動ローラを上記第１搬送ローラに対して付勢する第１付勢部材と、上記第１搬送ローラよりも上記搬送向きの下流側且つ上記搬送路の下側に設けられており、上記搬送路を搬送される被記録媒体を支持する第１支持部材と、上記第１支持部材と対向して上記搬送路の上側に設けられており、ノズルからインク滴を吐出することによって上記第１支持部材に支持された被記録媒体に画像を記録する記録部と、上記従動ローラを回転可能に支持し且つ上記従動ローラと一体に移動する第２支持部材と、上記第１支持部材に形成されており、上記第２支持部材に当接する当接部と、上記第２支持部材に形成されており、上記当接部に当接される被当接部と、上記第１支持部材を上記第２支持部材に対して付勢する第２付勢部材と、を備え、上記第１支持部材は、上記当接部が上記被当接部に対して接離する方向に移動するものであると捉えることもできる。
【発明の効果】
【００２８】
本発明によれば、第１支持部材は、被記録媒体の厚みと同距離を移動する。よって、被記録媒体の厚みに依存せずに、第１支持部材に支持された被記録媒体と記録部との間隔を一定にすることができる。
【図面の簡単な説明】
【００２９】
【図１】図１には複合機１０の外観斜視図である。
【図２】図２は、プリンタ部１１の内部構造を模式的に示す縦断面図である。
【図３】図３は、記録部２４とプラテン４２とガイドレール４３、４４とを示す斜視図である。
【図４】図４は、プラテン４２と押さえ部材５３と記録用紙１２とを示す正面図である。
【図５】図５は、第１搬送ローラ６０とピンチローラ６１とプラテン４２とガイドレール４３、４４とを示す斜視図である。
【図６】図６は、プリンタ部１１におけるプラテン４２周辺を示す縦断面図であり、第１搬送ローラ６０とピンチローラ６１とが当接された状態が示されている。
【図７】図７は、プリンタ部１１におけるプラテン４２周辺を示す縦断面図であり、第１搬送ローラ６０とピンチローラ６１とが離間された状態が示されている。
【図８】図８は、プリンタ部１１におけるプラテン４２周辺を示す縦断面図であり、プラテン４２が図７の状態よりも下方へ移動した状態が示されている。
【図９】図９（Ａ）は、プラテン４２の後端部の平面図であり、図９（Ｂ）は、図９（Ａ）のＡ−Ａ断面図であり、プラテン４２に加えて第１搬送ローラ６０とピンチローラ６１とホルダ５７とが示されている。
【図１０】図１０は、プラテン４２と押さえ部材５３を示す正面図であり、（Ａ）には記録用紙１２が搬送されていない状態が示されており、（Ｂ）には剛性の低い記録用紙１２が搬送されている状態が示されており、（Ｃ）には剛性の高い記録用紙１２が搬送されている状態が示されている。
【図１１】図１１は、連動部７０周辺を示す斜視図である。
【図１２】図１２は、リンク部材７６と記録部２４とプラテン４２との周辺を模式的に示す縦断面図であり、（Ａ）には記録用紙１２が搬送されていない状態が示されており、（Ｂ）には記録用紙１２が搬送されている状態が示されている。
【発明を実施するための形態】
【００３０】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、複合機１０（本発明のインクジェット記録装置の一例）が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００３１】
［複合機１０の全体構成］
図１に示されるように、複合機１０は、概ね直方体に形成されており、下部にインクジェット記録方式で記録用紙１２（本発明の被記録媒体の一例、図２参照）に画像を記録するプリンタ部１１が設けられている。複合機１０は、ファクシミリ機能及びプリント機能などの各種の機能を有している。なお、本実施形態において、複合機１０は、片面画像記録機能のみを有しているが、両面画像記録機能を有していてもよい。
【００３２】
プリンタ部１１は、正面に開口１３が形成された筐体１４を有している。また、各種サイズの記録用紙１２を載置可能な給紙トレイ２０及び排紙トレイ２１が、開口１３から前後方向８に挿抜可能である。
【００３３】
図２に示されるように、プリンタ部１１は、給紙トレイ２０から記録用紙１２をピックアップして給送する給紙部１５、給紙トレイ２０の上方に設けられており、給紙部１５によって給紙された記録用紙１２にインク滴を吐出して記録用紙１２に画像を記録するインクジェット記録方式の記録部２４（本発明の記録部の一例）、第１搬送ローラ６０（本発明の第１搬送ローラの一例）、及び第２搬送ローラ６２（本発明の第２搬送ローラの一例）などを備えている。
【００３４】
［給紙部１５］
図２に示されるように、給紙部１５は、給紙トレイ２０の上方であって記録部２４の下方に設けられている。給紙部１５は、給送ローラ２５、給紙アーム２６、及び駆動伝達機構２７を備えている。給送ローラ２５は、給紙アーム２６の先端部で軸支されている。給紙アーム２６は、基端部に設けられた軸２８を中心として、矢印２９の方向に回動する。これにより、給送ローラ２５は、給紙トレイ２０に当接及び離間が可能である。つまり、給送ローラ２５は、給紙トレイ２０に載置された記録用紙１２に当接可能である。
【００３５】
給送ローラ２５は、給紙用モータ（不図示）の駆動力が伝達されて回転する。給送ローラ２５は、給紙トレイ２０上に積載された記録用紙１２のうち、一番上側の記録用紙１２に当接された状態で、当該記録用紙１２を他の記録用紙１２から分離して以下で説明する湾曲路６５Ａへ送り出す。
【００３６】
［搬送路６５］
図２に示されるように、プリンタ部１１の内部には、給紙トレイ２０の先端（後方側の端部）から記録部２４を経て排紙トレイ２１に至る搬送路６５（本発明の搬送路の一例）が形成されている。搬送路６５は、給紙トレイ２０の先端から第１搬送ローラ６０に至る間に形成された湾曲路６５Ａと、第１搬送ローラ６０から排紙トレイ２１に至る間に形成された排紙路６５Ｂとに区分される。
【００３７】
湾曲路６５Ａは、給紙トレイ２０に設けられた分離傾斜板２２の上端付近から記録部２４に渡って延設された湾曲状の通路である。給送ローラ２５によって給紙トレイ２０から給送される記録用紙１２は、湾曲路６５Ａに沿った搬送向き（図２において一点鎖線に付された矢印の向き、本発明の搬送向きの一例）に湾曲されて、第１搬送ローラ６０及びピンチローラ６１（本発明の従動ローラの一例）による記録用紙１２の挟持位置へ案内される。湾曲路６５Ａは、所定間隔を隔てて互いに対向する外側ガイド部材１８と内側ガイド部材１９とによって区画されている。
【００３８】
排紙路６５Ｂは、第１搬送ローラ６０及びピンチローラ６１による記録用紙１２の挟持位置から排紙トレイ２１に亘って延設された直線状の通路である。記録用紙１２は、排紙路６５Ｂを搬送向きに案内される。排紙路６５Ｂは、記録部２４が設けられている箇所において、所定間隔を隔てて互いに対向する記録部２４及び記録用紙１２を支持可能な板状部材であるプラテン４２（本発明の第１支持部材の一例）によって区画されている。また、排紙路６５Ｂは、記録部２４が設けられていない箇所において、所定間隔を隔てて互いに対向する上側ガイド部材８２及び下側ガイド部材８３によって区画されている。
【００３９】
［プラテン４２］
図２に示されるように、プラテン４２は、排紙路６５Ｂにおいて、第１搬送ローラ６０よりも搬送向きの下流側に設けられている。プラテン４２は、排紙路６５Ｂの下側に設けられている。プラテン４２は、左右方向９の両端をプリンタ部１１のフレーム（不図示）に支持されている。
【００４０】
図２、図３、及び図５に示されるように、プラテン４２は、フレームに支持された状態において、前後方向８及び左右方向９の長さが上下方向７の長さよりも長い概ね平板形状である。プラテン４２の上面には、上方に突出した複数のリブ５２（本発明の凸部の一例）が形成されている。
【００４１】
各リブ５２は、前後方向８に延びている。詳細には、各リブ５２は、少なくとも後述するノズル３９と対向する位置において、前後方向８に延びている。本実施形態では、各リブ５２は、ノズル３９と対向する位置に加えて、後述する押さえ部材５３の押さえ部５５の下面５１（図２及び図４参照）と対向する位置において、前後方向８に延びている。ここで、押さえ部５５は、後述するように、ノズル３９よりも搬送向きの上流側に設けられている。つまり、各リブ５２は、前後方向８において、押さえ部５５の下面５１に対向する位置よりも搬送向きの下流側まで延びている。
【００４２】
また、各リブ５２は、左右方向９において、相互に所定の間隔を空けて形成されている。搬送路２３を搬送される記録用紙１５は、プラテン４２によって、詳細にはプラテン４２の上面に形成された各リブ５２によって支持される。
【００４３】
プラテン４２の前端部には切り欠き６７（図５参照）が形成されている。そして、当該切り欠き６７には、第２搬送ローラ６２の軸６４が回転可能に嵌め込まれている。これにより、プラテン４２は、第２搬送ローラ６２の軸６４を中心として回動する。つまり、プラテン４２は、回動によって移動可能である。なお、本実施形態においては、プラテン４２は軸６４を中心として回動するが、プラテン４２は回動以外によって移動されてもよい。例えば、プラテン４２の全体が、公知のカム機能などによって、上下方向７に沿って移動されてもよい。
【００４４】
［記録部２４］
図２に示されるように、記録部２４は、プラテン４２と対向して排紙路６５Ｂの上側に設けられている。記録部２４は、キャリッジ４０と記録ヘッド３８とを備えている。図３に示されるように、キャリッジ４０は、プラテン４２の後側及び前側に設けられたガイドレール４３、４４によって支持されている。ガイドレール４３、４４の少なくとも一方には、公知のベルト機構が設けられており、キャリッジ４０は、当該ベルト機構と連結されている。これにより、キャリッジ４０は、左右方向９に移動可能である。
【００４５】
図２に示されるように、記録ヘッド３８は、キャリッジ４０に搭載されている。記録ヘッド３８の下面には、複数のノズル３９（本発明のノズルの一例）が形成されている。記録ヘッド３８には、インクカートリッジ（不図示）からインクが供給される。記録ヘッド３８は、ノズル３９からインクを微小なインク滴として吐出する。キャリッジ４０が左右方向９へ往復動しているときに、ノズル３９からプラテン４２に支持されている記録用紙１２に対してインク滴が吐出される。これにより、記録用紙１２に画像が記録される。
【００４６】
［第１搬送ローラ６０及びピンチローラ６１］
図２に示されるように、第１搬送ローラ６０及びピンチローラ６１が、搬送路６５において、記録部２４よりも搬送向きの上流側に設けられている。第１搬送ローラ６０は、搬送路６５の上側に設けられている。ピンチローラ６１は、搬送路６５の下側に第１搬送ローラ６０と対向して配置されている。
【００４７】
図５及び図９（Ｂ）に示されるように、ピンチローラ６１は、左右方向９において互いに間隔を空けて配置された複数の回転体５９と、複数の回転体５９に共通の軸５８とで構成されている。
【００４８】
ピンチローラ６１の軸５８は、各回転体５９の間において、ホルダ５７（本発明の第２支持部材の一例）によって回転可能に支持されている。以下に詳述する。本実施形態において、ホルダ５７は、底板４６と、底板４６から上方に突出された複数の支持部４７とで構成されている。支持部４７は、左右方向９において、所定の間隔を空けて設けられている。支持部４７の各々には、左右方向９に沿った孔４８が形成されている。孔４８には、ピンチローラ６１の軸５８が挿通される。
【００４９】
ホルダ５７の下側には、第１コイルバネ９１（本発明の第１付勢部材の一例）が配置されている。第１コイルバネ９１は、下側からホルダ５７を支持している。また、第１コイルバネ９１は、下端をプリンタ部１１のフレーム８４に取り付けられている。これにより、ピンチローラ６１は、第１コイルバネ９１によって付勢され、第１搬送ローラ６０のローラ面に圧接される。換言すると、第１コイルバネ９１は、ピンチローラ６１を第１搬送ローラ６０に対して付勢する、つまり上側へ付勢する。これにより、第１搬送ローラ６０及びピンチローラ６１は、第１搬送ローラ６０及びピンチローラ６１の間に記録用紙１２を挟持して、搬送路６５に沿って搬送向きに搬送する。
【００５０】
第１搬送ローラ６０とピンチローラ６１との間に厚みの大きい記録用紙１２が挟持された場合、ピンチローラ６１は、記録用紙１２に押されることによって、第１コイルバネ９１の上側への付勢力に抗って下方へ移動される。これにより、ピンチローラ６１は、第１搬送ローラ６０から離間される。このとき、ピンチローラ６１を支持するホルダ５７は、ピンチローラ６１と一体に下方へ移動される。当該厚みのある記録用紙１２が第１搬送ローラ６０とピンチローラ６１との間を通過した後、記録用紙１２によって押されなくなったピンチローラ６１は、第１コイルバネ９１の上側への付勢力によって上方へ移動される。これにより、ピンチローラ６１は、第１搬送ローラ６０に圧接される。このとき、ピンチローラ６１を支持するホルダ５７は、ピンチローラ６１と一体に上方へ移動される。
【００５１】
一方、第１搬送ローラ６０とピンチローラ６１との間に厚みの小さい記録用紙１２が挟持された場合、ピンチローラ６０の下方への移動量は、厚みの大きい記録用紙１２が挟持された場合に比べて小さくなる。
【００５２】
以上より、ピンチローラ６１は、第１搬送ローラ６０との間に挟持される記録用紙１２の厚みに応じて第１搬送ローラ６０に対して接離する上下方向７（本発明の第１方向の一例）に移動する。
【００５３】
［第２搬送ローラ６２及び拍車６３］
図２に示されるように、第２搬送ローラ６２及び拍車６３が、排紙路６５Ｂにおいて、記録部２４よりも搬送向きの下流側に設けられている。第２搬送ローラ６２は、排紙路６５Ｂの下側に配置されている。拍車６３は、第２搬送ローラ６２の上方に第２搬送ローラ６２と対向して配置されている。また、拍車６３は、図示しないコイルバネなどの弾性部材によって第２搬送ローラ６２のローラ面に圧接されている。第２搬送ローラ６２及び拍車６３は、記録部２４で画像を記録された記録用紙１２を狭持して、排紙路６５Ｂに沿って搬送向きに搬送させる。これにより、記録用紙１２は、排紙トレイ２１に排出される。
【００５４】
なお、上述の第１搬送ローラ６０及び第２搬送ローラ６２は、搬送用モータ（不図示）の駆動力が伝達されて回転する。これにより、記録用紙１２は搬送向きに搬送される。
【００５５】
［押さえ部材５３］
図２に示されるように、搬送路６５における記録部２４よりも搬送向きの上流側には、押さえ部材５３（本発明の押さえ部材の一例）が設けられている。押さえ部材５３は、一つの取り付け部５６と、複数の湾曲部５４（図３及び図５参照）と、複数の押さえ部５５（図３及び図５参照）とで構成されている。なお、本実施形態では、プリンタ部１１は、押さえ部材５３を備えているが、プリンタ部１１は、押さえ部材５３を備えていなくてもよい。
【００５６】
取り付け部５６は、左右方向９に延設された平板形状の部材である。複数の湾曲部５４は、左右方向９（本発明の第２方向の一例）において、相互に離間されて取り付けられている。各湾曲部５４は、取り付け部５６から前側に突設されている。各湾曲部５４は、前側に延びながら下側に向かって湾曲されている。各湾曲部５４の先端部、つまり前端部からは押さえ部材５５が前側に突出されている。これにより、複数の押さえ部５５も、湾曲部５４と同様に、左右方向９において相互に離間されて配置されている。
【００５７】
図３及び図５に示されるように、取り付け部５６は、ガイドレール４３に取り付けられている。以下に詳述する。取り付け部５６の上面には、複数の引っ掛け部７５が上側に突出されている。引っ掛け部７５は、上端部において後側に屈曲されている。一方、ガイドレール４３には複数の開口４５が設けられている。各引っ掛け部７５は、開口４５に挿通されて、開口４５に引っ掛けられる。これにより、押さえ部材５３の取り付け部５６の上面は、ガイドレール４３の下面に取り付けられる。
【００５８】
図２〜図５に示されるように、各押さえ部５５は、概ね平板形状である。各押さえ部５５は、記録部２４のノズル３９よりも搬送向きの上流側、且つプラテン４２と対向する位置に設けられている。各押さえ部５５の下面５１（本発明の押さえ部の一例、図４参照）は、記録ヘッド３８の下面よりも下側に位置しており、プラテン４２（詳細にはプラテン４２に形成されたリブ５２）に支持された記録用紙１２の画像記録面、つまり記録用紙１２の上面に当接する。これにより、記録用紙１２は、各押さえ部５５の下面５１によって、下側へ向けて、つまりプラテン４２へ向けて押さえられる。
【００５９】
ここで、図４に示されるように、プラテン４２に形成された各リブ５２は、左右方向９において、各押さえ部５５が形成されていない位置に形成されている。つまり、押さえ部５５とリブ５２とはお互いに対向していない。また、各リブ５２は、各押さえ部５５の下面５１よりも上側まで突出されている。以上より、搬送路６５を搬送されている記録用紙１２は、プラテン４２と押さえ部５５との間において、前側或いは後側からみて波打った状態となっている。
【００６０】
［連動部７０］
図５、図９、及び図１１に示されるように、プリンタ部１１は、連動部７０（本発明の連動部の一例）を備えている。連動部７０は、上述したピンチローラ６１のホルダ５７と、当接部７１（本発明の当接部の一例）と、被当接部７２（本発明の被当接部の一例）と、第２コイルバネ７３（本発明の第２付勢部材の一例）とを備えている。
【００６１】
図５、図９、及び図１１に示されるように、プラテン４２には、ピンチローラ６１のホルダ５７に当接する当接部７１が形成されている。
【００６２】
本実施形態では、図９（Ａ）に示されるように、プラテン４２の後端部から、左右方向９に相互に離間した複数の突起７４が後側に延びている。当接部７１は、各突起７４の先端部から上側に延びている。なお、上述したように、プラテン４２は、前端部の切り欠き６７に嵌め込まれた第２搬送ローラ６２の軸６４を中心として回動する。つまり、当接部７１は、プラテン４２の回動先端部に形成されている。ここで、上述したように、突起７４は、左右方向９において、相互に離間して複数設けられている。よって、突起７４に形成された当接部７１も、左右方向９に複数が離間されて設けられている。
【００６３】
また、図９（Ｂ）に示されるように、当接部７１は、左右方向９において、プラテン４２の中央部から対称に複数が離間されて設けられている。本実施形態においては、複数の当接部７１は、ピンチローラ６１の各回転体５９の間において、ピンチローラ６１のホルダ５７に形成された被当接部７２に当接する。なお、ホルダ５７の底板４６における当接部７１と対向する位置には、開口６８が形成されており、当接部７１は開口６８に挿通されている。これにより、当接部７１は被当接部７２と当接可能となる。
【００６４】
図５、図９、及び図１１に示されるように、ピンチローラ６１のホルダ５７には、当接部７１に当接される被当接部７２が形成されている。
【００６５】
本実施形態では、被当接部７２は、図９（Ｂ）に示されるように、ホルダ５７の支持部４７の側面から、右向きまたは左向きに延びた突起である。ここで、上述したように、支持部４７は、左右方向９において、所定の間隔を空けて設けられている。よって、支持部４７に形成された被当接部７２も、左右方向９に複数が離間されて設けられている。
【００６６】
また、被当接部７２は、左右方向９において、プラテン４２の中央部から対称に複数が離間されて設けられている。本実施形態においては、複数の被当接部７２の各々は、上下方向７において、当接部７１と対向して設けられている。これにより、被当接部７２の下面は、当接部７１の上面に当接される。
【００６７】
図５、図９、及び図１１に示されるように、プラテン４２の下側には、プラテン４２をピンチローラ６１のホルダ５７に対して付勢する第２コイルバネ７３が設けられている。第２コイルバネ７３は、左右方向９において、当接部７１及び被当接部７２と対向する位置に複数設けられている。つまり、各第２コイルバネ７３は、下側からプラテン４２の各突起７４を支持している。また、各第２コイルバネ７３は、下端をプリンタ部１１のフレーム８４に取り付けられている。これにより、プラテン４２は、第２コイルバネ７３によって付勢され、当接部７１の上面は、被当接部７２の下面に圧接される。
【００６８】
上述したように、プラテン４２の突起７４は、左右方向９において、相互に離間して複数設けられている。よって、突起７４の下側に形成された第２コイルバネ７３も、左右方向９に複数が離間されて設けられている。
【００６９】
また、上述したように、第２コイルバネ７３は、左右方向９において、当接部７１及び被当接部７２と対向する位置に複数設けられている。ここで、上述したように、当接部７１及び被当接部７２は、左右方向９において、プラテン４２の中央部から対称に複数が離間されて設けられている。よって、第２コイルバネ７３も、左右方向９において、プラテン４２の中央部から対称に複数が離間されて設けられている。これにより、第２コイルバネ７３は、プラテン４２を、その左端部から右端部に亘って、ピンチローラ６１のホルダ５７に対して付勢する。つまり、第２コイルバネ７３は、左右方向９におけるプラテン４２の少なくとも中央部をピンチローラ６１のホルダ５７に対して付勢する。
【００７０】
［連動部７０の動作］
以下、記録用紙１２が搬送路６５を搬送されたときの連動部７０の動作、及び連動部７０の動作に基づくプラテン４２及びピンチローラ６１の移動について、図６〜図８を参照しながら説明する。
【００７１】
図６に示されるように、記録用紙１２が搬送路６５を搬送されていない状態において、ピンチローラ６１は、ホルダ５７を介して第１コイルバネ９１（図９（Ｂ）参照）によって上方に付勢されている。また、記録用紙１２が搬送路６５を搬送されていない状態において、プラテン４２は、第２コイルバネ７３によって上方に付勢されている。これにより、ピンチローラ６１のホルダ５７の被当接部７２は、プラテン４２の当接部７１に圧接される。以上より、ピンチローラ６１は、第１コイルバネ９１及び第２コイルバネ７３に付勢されて、第１搬送ローラ６０に圧接される。また、このとき、図１０（Ａ）に示されるように、リブ５２の上端は、押さえ部５５の下面５１よりも上方に位置する。
【００７２】
まず、普通紙などの厚みが殆どない剛性の低い記録用紙１２が搬送路６５を搬送される場合が説明される。当該記録用紙１２が第１搬送ローラ６０とピンチローラ６１とによって挟持された場合、ピンチローラ６１及びホルダ５７は殆ど下方に移動しない。当該記録用紙１２は、厚みを殆ど有していないからである。
【００７３】
次に、第１搬送ローラ６０とピンチローラ６１とによって挟持された記録用紙１２が更に搬送向きに搬送されると、記録用紙１２は、押さえ部材５３の押さえ部５５の真下に到達する。これにより、記録用紙１２は、プラテン４２と押さえ部５５の下面５１との間に挟持された状態となる。このとき、リブ５２の上端は、押さえ部５５の下面５１よりも上方の位置を維持している。しかし、記録用紙１２は、剛性が低いために、リブ５２を下方に押すことができない。よって、押さえ部材５３の真下において、記録用紙１２の上面が押さえ部５５の下面５１と当接される。一方、リブ５２の真上において、記録用紙１２の下面が押さえ部５５の下面５１よりも上方に位置するリブ５２の上端と当接される。その結果、記録用紙１２は、図１０（Ｂ）に一点鎖線で示されるように、左右方向９に波打った状態となる。そして、記録用紙１２は、波打った状態を維持しながら、搬送路６５を搬送される。
【００７４】
次に、光沢紙などの普通紙よりも厚みがある剛性の高い記録用紙１２が搬送路６５を搬送される場合が説明される。図７に示されるように、搬送路６５を搬送向きに搬送される記録用紙１２が第１搬送ローラ６０とピンチローラ６１とによって挟持されると、ピンチローラ６１及びホルダ５７は、記録用紙１２に押されることによって、第１コイルバネ９１の付勢力に抗って下方に移動する。ホルダ５７が下方に移動するとき、被当接部７２が当接部７１を下方に押す。これにより、プラテン４２は、第２コイルバネ７３の付勢力に抗って下方に移動する。ここで、プラテン４２は、被当接部７２によって押された量だけ、下方に移動する。つまり、ピンチローラ６１の下方への移動量と、プラテン４２の下方への移動量とは、同一である。すなわち、連動部７０は、ピンチローラ６１の上下方向７の移動に連動して、プラテン４２を、ピンチローラ６１との間の上下方向７の距離を同一に維持させつつ移動させる。
【００７５】
図８に示されるように、第１搬送ローラ６０とピンチローラ６１とによって挟持された記録用紙１２が更に搬送向きに搬送されると、当該記録用紙１２は、押さえ部材５３の押さえ部５５の真下に到達する。これにより、記録用紙１２は、プラテン４２と押さえ部５５の下面５１との間に挟持された状態となる。すると、記録用紙１２は、押さえ部材５５の下面５１によって、下方に押された状態となる。これにより、リブ５２は、記録用紙１２に下方に押されるため、プラテン４２は、第２コイルバネ７３の付勢力に抗って下方に移動する。その結果、プラテン４２の当接部７１は、ピンチローラ６１の被当接部７２から離間する。つまり、プラテン４２は、ピンチローラ６１から離間して下方に移動する。以上のように各部材が移動した結果、記録用紙１２は、図１０（Ｃ）に一点鎖線で示されるように、押さえ部５５の下面５１とプラテン４２のリブ５２とによって挟持された状態となる。
【００７６】
以上より、連動部７０は、記録用紙１２がプラテン４２と押さえ部５５の下面５１との間に挟持されることによって、ピンチローラ６１との間の上下方向７の距離を長くするようにプラテン４２を移動させる。また、プラテン４２は、記録用紙１２がプラテン４２と押さえ部５５の下面５１との間に挟持されることによって、第２コイルバネ７３の付勢力に抗って、当接部７１が被当接部７２に対して離間する方向に移動する。
【００７７】
一方、ピンチローラ６１は、記録用紙１２がプラテン４２と押さえ部５５の下面５１との間に挟持されても、図７の状態よりも下方に移動されることはない。つまり、ピンチローラ６１のホルダ５７は、記録用紙１２がプラテン４２と押さえ部５５の下面５１との間に挟持された場合、第１コイルバネ９１の付勢力により上下方向７における位置が維持される。
【００７８】
記録用紙１２の搬送向きの後端が、第１搬送ローラ６０とピンチローラ６１との挟持位置を通過すると、ピンチローラ６１は、第１コイルバネ９１の付勢力によって上方へ移動し、第１搬送ローラ６０に圧接される。これにより、ホルダ５７も上方へ移動する。しかし、記録用紙１２は押さえ部５５の下面５１とプラテン４２のリブ５２の間に挟持された状態であるため、プラテン４２は上方へ移動しない。その結果、ホルダ５７の被当接部７２とプラテン４２の当接部７１とが相互に離間される。その後、記録用紙１２の搬送向きの後端が、プラテン４２と押さえ部５５の下面５１との間を通過すると、プラテン４２は、第２コイルバネ７３の付勢力によって上方へ移動する。これにより、当接部７１の上面が被当接部７２の下面に再び圧接される。その結果、連動部７０は、図６の状態となる。
【００７９】
［実施形態の効果］
本実施形態によれば、ピンチローラ６１は、第１搬送ローラ６０との間に記録用紙１２を挟持することによって、記録用紙１２の厚み分だけ上下方向７に移動する。ピンチローラ６１が上下方向７に移動すると、記録用紙１２を支持するプラテン４２は、連動部７０によって、ピンチローラ６１との間の上下方向７の距離を同一に維持させつつ移動される。つまり、プラテン４２の上下方向７の移動距離は、記録用紙１２の厚みと同一となる。以上より、本実施形態によれば、記録用紙１２の厚みに依存せずに、プラテン４２に支持された記録用紙１２と記録部２４との間隔を一定にすることができる。
【００８０】
また、本実施形態によれば、プラテン４２に支持された記録用紙１２は、押さえ部材５３に押さえられてプラテン４２との間に挟持されることによって、左右方向９に波打ちした状態となる。これにより、剛性が低い記録用紙１２の前後方向８における剛性を高めることができる。その結果、記録後の搬送においても記録用紙１２の変形や詰まりを抑制することができる。
【００８１】
また、剛性が高くて押さえ部材５３による変形が吸収できないような記録用紙１２がプラテン４２と押さえ部材５３との間に挟持された場合、プラテン４２は、記録用紙１２が第１搬送ローラ６０とピンチローラ６１とによって挟持されており且つプラテン４２と押さえ部材５３とによって挟持されていない場合よりも、多くの距離を下方に移動する。これにより、プラテン４２に支持される記録用紙１２の高さの基準を、押さえ部材５３に押さえられた位置の高さとすることができる。
【００８２】
また、本実施形態によれば、リブ５２は、搬送向きに沿って長い。よって、リブ５２は、記録用紙１２を広範囲に亘って支持することができる。その結果、記録用紙１２の搬送精度を高くすることができる。
【００８３】
また、本実施形態によれば、連動部７０を、当接部７１や被当接部７２などを備えた簡易な構成で実現することができる。また、本実施形態によれば、ピンチローラ６１が下側に配置され第１搬送ローラ６０が上側に配置されている場合に、記録用紙１２がプラテン４２と押さえ部材５３との間に挟持されたとき、プラテン４２に形成された当接部７１は、記録用紙１２に押されることによってピンチローラ６１のホルダ５７に形成された被当接部７２から離間する。つまり、このとき、プラテン４２は、ホルダ５７（ピンチローラ６１）とは別個に移動可能である。換言すると、プラテン４２の上下方向７の移動距離が長くなった場合であっても、ピンチローラ６１は必要以上に移動しない。以上より、本実施形態によれば、ピンチローラ６１と第１搬送ローラ６０とが必要以上に離間することを防止することができる。
【００８４】
また、本実施形態によれば、プラテン４２の回動先端部は、第２コイルバネ７３の付勢力によって、ピンチローラ６１のホルダ５７に押しつけられる。また、ホルダ５７に支持されているピンチローラ６１は、第１コイルバネ９１の付勢力によって、第１搬送ローラ６０に押しつけられる。つまり、プラテン４２の回動先端部は、第１搬送ローラ６０に押しつけられた状態となる。
【００８５】
上記より、プラテン４２の回動先端部を、左右方向９において、複合機１０に固定された第１搬送ローラ６０に沿わせることができる。ここで、本実施形態において、第２コイルバネ７３は、左右方向９におけるプラテン４２の中央部をピンチローラ６１のホルダ５７に対して付勢する。そのため、プラテン４２の回動先端部を第１搬送ローラ６０に沿わせることは容易である。
【００８６】
プラテン４２の回動先端部が複合機１０に固定された第１搬送ローラ６０に沿った状態となることによって、プラテン４２に支持された記録用紙１２と記録部２４との間隔を固定させることができる。すると、記録用紙１２に画像記録する際に、プラテン４２の反りに基づいてノズル３９を制御することによって、記録用紙１２に記録される画像の品質の悪化を低減することができる。
【００８７】
また、本実施形態のように、設けられている第２コイルバネ７３の数が多い程、プラテン４２を、より正確に第１搬送ローラ６０に沿わせることができる。
【００８８】
また、本実施形態によれば、ピンチローラ６１は、第１搬送ローラ６０とピンチローラ６１との間に挟持される記録用紙１２の厚みに応じた距離だけ下側に移動する。また、プラテン４２もピンチローラ６１との上下方向７の距離を保ちつつ下側に移動する。これにより、記録用紙１２がピンチローラ６１による支持位置からプラテン４２による支持位置へ突入する際の突入角度が小さくなることを、抑制することができる。その結果、突入角度が小さくなることによって、記録用紙１２がプラテン４２に引っ掛かって搬送路６５内で詰まる可能性を低くすることができる。
【００８９】
［実施形態の変形例１］
上述の実施形態では、押さえ部材５３は単体の部材として構成されていた。具体的には、押さえ部材５３は、左右方向９に延設された取り付け部５６から複数の湾曲部５４が突出された構成であった。しかし、押さえ部材５３は、複数設けられていてもよい。
【００９０】
例えば、押さえ部材５３の取り付け部５６が、複数の湾曲部５４の各々に対応して、複数設けられていてもよい。つまり、一つの取り付け部５６と一つの湾曲部５４と一つの押さえ部５５よりなる押さえ部材５３が、複数設けられていてもよい。なお、変形例１の場合、各取り付け部５６は、左右方向９に所定の間隔を空けて、ガイドレール４３に取り付けられる。
【００９１】
［実施形態の変形例２］
上述の実施形態では、プラテン４２の上面には、前後方向８に延びたリブ５２が形成されていた。そして、記録用紙１２は、リブ５２と押さえ部材５３とによって波打ち状態とされていた。しかし、プラテン４２の上面には、リブ５２の代わりに、前後方向８の長さが短い凸部が形成されていてもよい。変形例２の場合、当該凸部は、少なくとも、前後方向８において押さえ部材５３と同じ位置であり、左右方向９において押さえ部材５３と異なる位置に設けられている。なお、凸部が前後方向７に沿って所定の間隔を空けて複数設けられていてもよい。
【００９２】
［実施形態の変形例３］
上述の実施形態では、当接部７１、被当接部７２、及び第２コイルバネ７３は、プラテン４２の中央部から対称に複数が離間されて設けられていた。しかし、当接部７１、被当接部７２、及び第２コイルバネ７２の配置は、上述の実施形態におけるものに限らない。
【００９３】
例えば、当接部７１、被当接部７２、及び第２コイルバネ７３は、左右方向９におけるプラテン４２の両端にのみ配置されていてもよい。
【００９４】
また、当接部７１、被当接部７２、及び第２コイルバネ７３は、左右方向９におけるプラテン４２の中央部に、それぞれ１つずつ配置されていてもよい。
【００９５】
［実施形態の変形例４］
上述の実施形態では、プリンタ部１１に、押さえ部材５３が設けられた構成が説明された。しかし、プリンタ部１１に、押さえ部材５３が設けられていなくてもよい。この場合、連動部７０は以下のように動作する。
【００９６】
記録用紙１２が搬送路６５を搬送されていない状態においては、上述の実施形態の図６と同様に、ピンチローラ６１は、第１コイルバネ９１及び第２コイルバネ７３に付勢されて、第１搬送ローラ６０に圧接される。また、プラテン４２は、第２コイルバネ７３に付勢されて、ピンチローラ６１のホルダ５７の被当接部７２が、プラテン４２の当接部７１に圧接される。
【００９７】
搬送路６５を搬送される記録用紙１２が第１搬送ローラ６０とピンチローラ６１とによって挟持されると、上述の実施形態の図７と同様に、ピンチローラ６１及びホルダ５７は、第１コイルバネ９１の付勢力に抗って下方に移動する。また、ホルダ５７が下方に移動するとき、被当接部７２が当接部７１を下方に押す。これにより、プラテン４２は、第２コイルバネ７３の付勢力に抗って下方に移動する。つまり、プラテン４２は、当接部７１が被当接部７２に押されることによって、第２コイルバネ７３の付勢力に抗って移動する。
【００９８】
記録用紙１２の搬送向きの後端が、第１搬送ローラ６０とピンチローラ６１との挟持位置を通過すると、ピンチローラ６１は、第１コイルバネ９１の付勢力によって上方へ移動し、第１搬送ローラ６０に圧接される。ピンチローラ６１が上方へ移動すると、被当接部７２によって下方へ押されていた当接部７１は、第２コイルバネ７３の付勢力によって、被当接部７２に追随して上方へ移動する。その結果、当接部７１と被当接部７２とが当接した状態が維持される。
【００９９】
変形例４によれば、押さえ部材５３がない場合においても、連動部７０を、当接部７１や被当接部７２などを備えた簡易な構成で実現することができる。
【０１００】
［実施形態の変形例５］
上述の実施形態では、押さえ部５５の下面５１が本発明の押さえ部の一例であって、当該下面５１が記録用紙１２の上面と当接した。しかし、本発明の押さえ部は押さえ部５５の下面５１に限らない。例えば、押さえ部５５に、少なくとも一つの拍車（不図示）が回転可能に設けられていてもよい。この場合、当該拍車が記録用紙１２の上面と当接される。つまり、変形例５の場合、当該拍車が本発明の押さえ部の一例である。
【０１０１】
変形例５によれば、拍車が回転可能であるために、記録用紙１２は押さえ部材５３の下側を円滑に搬送されることが可能である。
【０１０２】
［実施形態の変形例６］
上述の実施形態では、第１搬送ローラ６０が搬送路６５の上側に設けられており、ピンチローラ６１が搬送路６５の下側に設けられていた。しかし、第１搬送ローラ６０が搬送路６５の下側に設けられており、ピンチローラ６１が搬送路６５の上側に設けられていてもよい。なお、変形例６の場合も上述の実施形態の場合と同様に、ピンチローラ６１は上下方向７に移動可能に構成されている。また、変形例６の場合、第１コイルバネ９１は、ピンチローラ６１を下向きに付勢している。
【０１０３】
変形例６の場合、プリンタ部１１は、本発明の連動部の一例として、図１２（Ａ）に示されるようなリンク部材７６を備えている。図１２は、プリンタ部１１が押さえ部材５３を備えていない場合の実施例が示されている。なお、変形例６の場合も、プリンタ部１１は押さえ部材５３を備えていてもよい。また、図１２において、ピンチローラ６１を第１搬送ローラ６０に対して付勢、つまり、下側へ付勢する第１コイルバネ９１は省略されている。リンク部材７６は、左右方向９の両端をプリンタ部１１のフレーム（不図示）などに回転可能に支持された軸７７と、軸７７からプラテン４２の上端に向けて延設された第１アーム７８と、軸７７からピンチローラ６１に向けて延設された第２アーム７９とを備えている。リンク部材７６は、軸７７を中心として、矢印８０の方向に回動可能である。なお、第１アーム７８の左右方向９の位置は、搬送路６５の外側である。
【０１０４】
第２アーム７９の延設先端は、ピンチローラ６１の軸５８に取り付けられている。これにより、図１２（Ｂ）に示されるように、ピンチローラ６１が、搬送路６５を搬送される記録用紙１２に押されることによって、第１コイルバネ９１の付勢力に抗って矢印８１の向きに移動されると、リンク部材７６も矢印８１の向きに回動する。その結果、プラテン４２は、リンク部材７６の第１アーム７８によって下側に押されて、下方に移動する。換言すると、プラテン４２は、第１アーム７８に押されることによって、第２搬送ローラ６２の軸６７を中心として、矢印８５の向きに回動する。
【０１０５】
なお、記録用紙１２が第１搬送ローラ６０とピンチローラ６１との間を通過すると、リンク部材７６、ピンチローラ６１、及びプラテン４２は、上記とは逆に動作することによって、図１２（Ｂ）の状態から図１２（Ａ）の状態に遷移する。
【０１０６】
以上より、変形例６の場合であっても、本発明の連動部の一例であるリンク部材７６は、ピンチローラ６１の上下方向７の移動に連動して、プラテン４２を移動させる。
【符号の説明】
【０１０７】
１０・・・複合機
１２・・・記録用紙
２４・・・記録部
３９・・・ノズル
４２・・・プラテン
６０・・・第１搬送ローラ
６１・・・ピンチローラ
６５・・・搬送路
７０・・・連動部
９１・・・第１コイルバネ
【図１】
0005786681.tif 000002
【図２】
0005786681.tif 000003
【図３】
0005786681.tif 000004
【図４】
0005786681.tif 000005
【図５】
0005786681.tif 000006
【図６】
0005786681.tif 000007
【図７】
0005786681.tif 000008
【図８】
0005786681.tif 000009
【図９】
0005786681.tif 000010
【図１０】
0005786681.tif 000011
【図１１】
0005786681.tif 000012
【図１２】
0005786681.tif 000013